(57)【要約】【課題】 携帯電話機能とＴＶ放送の受信機能の両方を有する携帯機器において、携帯電話用の操作キーとＴＶ用の操作キーの両方を設ける必要があり、キー配置に広い面積が必要であり、さらに使い勝手が悪かった。【解決手段】 操作キーを携帯電話用とＴＶ用で共有化し、キーの数を少なくして、キー配置に要する面積を最小化する。  特に、テンキーについては、従来の携帯電話での配置と、従来のＴＶのリモコンにおける配置の両方を生かす配置とし、ユーザが違和感を覚えない配置としている。  さらに、携帯電話と同様の方法での文字入力を可能にし、データ放送のための入力処理を行うことができるようにした。  また、番組名を入力するだけで、その番組のチャネル情報を獲得し、そのチャネルの視聴や記録を可能にした。【選択図】 図３
2010004572.tif 000002
【特許請求の範囲】
【請求項１】
通信回線を利用して通信を行う送受信回路及び前記通信に必要な操作を行うための複数のキーで構成されるキー入力部を有して成る電話機能部と、テレビ放送を受信するためのテレビ放送受信部と、前記電話機能部及びテレビ放送受信部を制御する制御部と、を有し、
前記制御部は、テレビ放送受信状態において、テキスト入力状態では分割した一方の領域に受信した映像データを、分割した一方の領域とは異なる領域にテキスト入力可能画面を割り当てることが可能なことを特徴とする携帯機器。
【請求項２】
前記キー入力部には通信相手番号を入力するためのテンキーが配備されており、前記制御部は、テレビ放送受信モードでは、１乃至９のテンキーからの信号をチャネルポジション１乃至９までを指定する情報として処理し、前記テキスト入力状態では受信した映像データを表示しながら前記テンキーからの信号を文字指定信号として処理することを特徴とする請求項１記載の携帯機器。
【請求項３】
前記キー入力部には通信相手番号を入力するためのテンキーが配備されており、前記制御部は、携帯電話における非音声通信の文字入力のモードでは、前記テンキーからの信号を通信文用の文字指定信号として処理し、前記テキスト入力状態では受信した映像データを表示しながら前記テンキーからの信号を前記通信文用の文字指定信号の入力と同じように入力可能な文字指定信号として処理するように構成されたことを特徴とする請求項１記載の携帯機器。
【請求項４】
請求項１乃至請求項３のいずれかに記載の携帯機器において、テレビ放送受信により得られた映像及び音声を記録媒体に録画する手段を備えたことを特徴とする携帯機器。
【請求項５】
請求項４に記載の携帯機器において、録画予約に必要な情報を記録する手段及び現在日時を判定する手段を備え、受信予約日時の到来を判定したときに予約番組を受信して録画するように構成されたことを特徴とする携帯機器。
【請求項６】
請求項５に記載の携帯機器において、前記制御部は、録画予約に必要な情報入力画面を表示すると共に、前記キー入力部からの信号に基づいて録画予約に必要な情報を取得するように構成されたことを特徴とする携帯機器。
【発明の詳細な説明】
【技術分野】
【０００１】
本発明は、ＴＶ（テレビジョン）放送の受信機能と電話等の通信機能を有する携帯装置に関する。
【背景技術】
【０００２】
携帯装置の代表的なものとして、携帯電話が存在する。
【０００３】
携帯電話は、一般に、図７に示されているように、無線電話信号を送受信するためのアンテナ３０１、受信した信号をデコードする受信部３７３、送信するための信号にコーディングするための送信部３７２、送信と受信を切替えるためのデュプレクサ３７１、受信した音声信号を出力するためのスピーカ３０３、受信したメールなどの非音声信号や操作のために必要な情報を表示する表示部３０７、受信応答や発呼、送信操作、メール操作、及び各種機能の設定操作などの種々の操作のために使用されるキーパッドより構成されるキー入力部３０６、電話帳情報や受信メールなど種々の情報を記憶しておくための記憶部３７４、送信する音声を入力するためのマイク３０４及び全システムの制御や各種のデータ処理を行うための制御部３０８で構成されている。
【０００４】
一方、テレビ受信機の構造は、一般によく知られているので、ここでは説明を省略するが、テレビ放送は、地域毎に受信できる周波数或いはチャネルが異なっており、テレビ受信機の設置場所に応じて、各チャネルを選択するためのワンタッチキーに受信する放送局を対応付けて記録しておく必要がある。
【０００５】
しかし、携帯型装置の中にテレビ受信機能を配備した場合、テレビ受信機は頻繁にその地理的な位置を変化させるため、その都度チャネルを再設定しなければならないという問題があった。
【０００６】
そこで、電話機能とテレビ、ラジオ等の放送を受信する機能を有する携帯機器として、特開平８−１６２９０９号公報に記載の装置が提案されている。
【０００７】
この公報記載の装置は、図８に示すように、携帯電話機能部として、通信アンテナ１と、無線通信制御部３０２と、スピーカ３０３、マイク３０４と、通信回路３８１と、キー入力部３０６と、表示部３０７と、制御部３０８とを備える。
【０００８】
また、放送受信機能部として、ワンタッチキー入力部３８２と、記憶部３０９と、ＴＶアンテナ３１０と、放送受信部３１１と、放送情報出力部３８３と備える。
【０００９】
ここで、上記通信アンテナ３０１は、携帯電話の送受信を行うためのものであり、上記無線通信制御部３０２は、通信アンテナ３０１を介して携帯電話基地局と無線通信を行うためのものである。
【００１０】
また、上記スピーカ３０３及びマイク３０４は携帯電話において通話を行うためのものである。
【００１１】
上記通信回路３８１は、上記スピーカ３０３とマイク３０４とにより通話を可能とするための回路装置である。
【００１２】
さらに、キー入力部３０６は、携帯電話を使用するための種々のデータを設定したり、電話番号を入力するための入力キーであり、テンキー等で構成される。
【００１３】
上記表示部３０７は、通話を行う電話番号や日付等を表示する表示部である。
【００１４】
また、周波数検索手段、受信感度判定手段、周波数再検索手段及び別周波数検索手段としての制御部３０８は、上記キー入力部３０６、ワンタッチキー入力部３８２の操作に基づき上記各部を制御するものである。
【００１５】
また、上記ワンタッチキー入力部３８２は、放送の選局を行うための操作ボタンであり、ワンタッチキーで構成される。
【００１６】
また、上記記憶部３０９は、位置情報記憶手段としての位置情報登録部３１３と、周波数記憶手段としての放送局登録部３１４及び周波数登録部３１５とを有している。
【００１７】
ここで、上記位置情報登録部３１３は、携帯電話基地局から送信される位置情報を記憶するものであり、また、上記放送局登録部３１４は、図９（ａ）に示すように、ワンタッチキー入力部３８２のキー番号と放送局名との対応を登録した対応テーブルを有している。
【００１８】
ここで、図９（ａ）中「放送局番号１」、「放送局番号２」とあるのは、「放送局番号１」が或るキー番号における第一候補の放送局であり、「放送局番号２」が第二候補の放送局であることを意味している。
【００１９】
この放送局登録部３１４に登録されている放送局名は予め登録されているか、若しくはユーザにより任意に入力が可能である。
【００２０】
また、上記周波数登録部３１５は、図９（ｂ）に示すように、或る放送局における受信位置と周波数の対応を登録した対応テーブルを有している。
【００２１】
また、上記ＴＶアンテナ３１０は、ラジオやテレビ等の放送番組を受信する受信アンテナであり、上記放送受信部３１１は、上記ＴＶアンテナ３１０を介して放送番組を受信するためのものであり、制御部３０８の制御によって選局、同調を行う。
【００２２】
さらに、図示しない電源スイッチがオンされると、制御部３０８は、無線通信制御部３０２及び通信アンテナ３０１を介して、携帯電話基地局（図示せず）に位置情報を要求し、該携帯電話基地局から返送される位置情報を記憶部３０９における位置情報登録部３１３に登録する。
【００２３】
また、位置情報の獲得方法は、上記の他にも、特願２００２−３２５８３１に記載したように、ＧＰＳを使用する方法もある。
【先行技術文献】
【特許文献】
【００２４】
【特許文献１】特開平８−１６２９０９号公報
【特許文献２】特願２００２−３２５８３１（特開２００４−１６５７２９号公報）
【特許文献３】特願２００２−３０２０６２（特開２００４−１４０５２２号公報）
【発明の概要】
【発明が解決しようとする課題】
【００２５】
上記従来技術では、特開平８−１６２９０９号公報に記載されているように、テレビ受信機能と電話機能を携帯装置に装備した場合、携帯電話の操作キーとテレビの操作キーの両方が必要になる。
【００２６】
しかし、携帯装置は、小型に形成することが必須であるため、操作キーの配置できる面積は限られたものとなる。
【００２７】
そこで、操作キーの配置に要する面積を最小化するキー配置が必要となるが、携帯電話などに慣れているユーザにとって、携帯電話と異なるキー配置がなされると操作性が悪くなるという問題が発生する。
【００２８】
この発明は、上記の事情に鑑み、携帯電話と同様のキー配置を実現して携帯電話の操作性を維持しつつテレビ放送視聴のための操作性をも向上できる携帯機器を提供することを目的とする。
【課題を解決するための手段】
【００２９】
本発明は、この発明の携帯機器は、上記の課題を解決するために、無線通信回線を利用して通信を行う無線送受信回路及び前記通信に必要な操作を行うための複数のキーで構成されるキー入力部を有して成る携帯電話機能部と、テレビ放送を受信するためのテレビ放送受信部と、前記携帯電話機能部及びテレビ放送受信部を制御する制御部と、を有し、前記制御部は、テレビ放送受信モードでは、前記キー入力部の少なくとも１以上のキーからの信号をテレビ放送受信のための操作信号として処理するように構成されたことを特徴とする（以下、この項において第１の構成という）。
【００３０】
上記第１の構成において、前記キー入力部には通信相手番号を入力するためのテンキーが配備されており、前記制御部は、テレビ放送受信モードでは、１乃至９の番号キーからの信号をチャネルポジション１乃至９までを指定する情報として処理し、且つ、１０の番号キー及び＃キー及び＊キーからの信号をチャネルポジション１０乃至１２までを指定する情報として処理するように構成されていてもよい。
【００３１】
上記第１の構成において、前記キー入力部には携帯電話の各機能を選択するための方向キーが配備されており、前記制御部は、テレビ放送受信モードでは、前記方向キーからの信号をテレビ放送受信のための指令情報として処理するように構成されていてもよい。
【００３２】
上記第１の構成において、前記キー入力部には通信相手番号を入力するためのテンキーが配備されており、前記制御部は、携帯電話における非音声通信の文字入力のモードでは、前記テンキーからの信号を通信文用の文字指定信号として処理し、テレビ放送に関係する文字入力のモードでは、前記テンキーからの信号をテレビ放送に関係する文字指定信号として処理するように構成されていてもよい（以下、この項において第２の構成という）。
【００３３】
上記第２の構成において、前記制御部は、データ放送受信モードでは、前記テンキーからの信号をデータ放送に関する送信情報用の文字指定信号として処理するように構成されていてもよい。
【００３４】
また、上記第２の構成において、前記制御部は、前記テンキーからの信号をテレビ放送受信用の番組名特定情報として処理し、特定された番組名に一致する番組のチューニング情報を取得して受信処理を行うように構成されていてもよい。
【００３５】
以上の構成において、テレビ放送受信により得られた映像及び音声を記録媒体に録画する手段を備えてもよい。
【００３６】
また、録画予約に必要な情報を記録する手段及び現在日時を判定する手段を備え、受信予約日時の到来を判定したときに予約番組を受信して録画するように構成されていてもよい（以下、この項において第３の構成という）。
【００３７】
上記第３の構成において、前記制御部は、録画予約に必要な情報入力画面を表示すると共に、前記キー入力部からの信号に基づいて録画予約に必要な情報を取得するように構成されていてもよい。
【００３８】
また、上記第３の構成において、前記制御部は、電源キーのオフを判定したときに、録画予約に必要な情報を録画予約情報メモリにセットするように構成されていてもよい。
【発明の効果】
【００３９】
本発明は、無線通信回線と接続可能な無線通信処理回路と、該無線通信に必要な操作を行うための複数のキーで構成されるキー入力手段を有する携帯電話機能部と、テレビ放送を受信するためのテレビ放送受信部とを有し、該キー入力部の少なくとも１以上のキーに、携帯電話機能部の操作のための入力手段とテレビ放送受信のための入力手段の両方を割り当てている携帯機器である。
【００４０】
従って、携帯電話の操作のためのキーとＴＶの操作のためのキーが共通化されるため、キー配置に要する面積を最小化することができ、機器の小型化を容易に実現できるようになった。
【００４１】
また、本願発明は、上記キー入力部が、少なくともテンキーを含んでおり、該テンキーが無線通信に必要な番号入力機能、及びテレビ放送受信のためのチャネル選択機能を有し、１乃至９の番号キーにチャネルポジションの１乃至９を夫々に配置し、０の番号キー及び＃キー及び＊キーにおいて、チャネルポジションの１０から１２までを配置するように構成することができる。
【００４２】
さらに、上記キー入力部が、少なくとも、携帯電話の各機能を選択するために使用される十字キーを含んでおり、該十字キーがテレビ放送受信のために必要な機能を選択し、条件設定するためにも使用可能であるように構成することもできる。
【００４３】
具体的には、録画機能や予約録画機能を有し、上記十字キーを使って、予約情報を入力できるように構築することができる。
【００４４】
さらに、電源キーをオフにすることで、録画予約がセットされるように構築することもできる。
【００４５】
従って、従来の携帯電話を使用するのと同様に携帯電話を操作することができると同時に、ＴＶに関する操作においても、従来のリモコン操作と同様に操作することができるようになった。
【００４６】
そのためユーザは、違和感なく今までと同様の操作方法で、ＴＶ視聴を行うことができるようになった。
【００４７】
さらに、本願発明では、携帯電話における非音声通信に必要な文字入力のために、上記テンキーに各入力文字を割り当て、該携帯電話における文字入力と同じ方法でテレビ放送受信のために必要な文字入力が可能となるように構築することができる。
【００４８】
具体的には、上記テンキーを用いて、データ放送受信のために必要な文字入力を可能にすることができるだけでなく、上記テンキーを用いて、番組名を入力することで、該入力された番組の放送情報を入手できるように構成することもできる。
【００４９】
従って、同じ番組を放送するチャネルが地域によって異なる場合でも、番組名を指定するだけで、所望の番組のチャネルをサーチしてそのチャネルに録画予約を設定したり、その番組を視聴したりできるようになった。
【図面の簡単な説明】
【００５０】
【図１】この発明の第１実施形態にかかる携帯機器のブロック図である。
【図２】上記携帯機器の外観を示した正面図である。
【図３】上記携帯機器の外観の他の例を示した正面図である。
【図４】上記携帯機器における録画予約のフローチャートである。
【図５】上記携帯機器におけるメニュー画面例を示した説明図である。
【図６】上記携帯機器における予約画面を示した説明図である。
【図７】従来の携帯電話のブロック図である。
【図８】従来のＴＶ受信機能を有する携帯電話のブロック図である。
【図９】一般的に用いられる対応表を示した説明図であって、同図（ａ）はワンタッチキーと放送局との対応表であり、同図（ｂ）は各放送局に対する位置と放送周波数の対応表である。
【図１０】この発明の第２実施形態にかかる携帯機器を示したブロック図である。
【図１１】同図（ａ）は上記携帯機器のデータ放送受信画面を例示した説明図であり、同図（ｂ）は上記画面内の文字入力領域を示した説明図である。
【図１２】上記文字入力領域への文字入力にかかわる処理を示したフローチャートである。
【図１３】上記携帯機器のアップダウン選局処理を示したフローチャートである。
【図１４】同図（ａ）は入力チャンネルの番号を表示するウィンドを示した説明図であり、同図（ｂ）は上記携帯機器のダイレクト選局処理を示したフローチャートである。
【発明を実施するための形態】
【００５１】
（実施形態１）  以下、この発明の第１の実施形態の携帯機器を、図１乃至図６に基づいて説明する。
【００５２】
なお、従来項で示した図９をここで再び使用する。
【００５３】
この実施形態における携帯機器のブロック図を図１に示す。
【００５４】
この携帯機器は、テレビ放送の受信が可能な携帯電話であり、受信したテレビ放送を視聴したり、録画したり、録画したテレビ番号を再生して視聴することが可能である。
【００５５】
図１に示すように、携帯機器は、携帯電話回線に接続して電波を送受信するための通信アンテナ１、この通信アンテナ１を通じて得られた受信信号をその通信形態に応じてデコードしたり、また送信する信号を通信形態に応じてエンコードして通信アンテナ１を通じて送信するための無線通信制御部２、受信した音声信号を音声として出力するためのスピーカ３、送信する音声信号を入力するためのマイク４、受信した音声信号をスピーカ出力可能な形式に変換したり、マイク４より入力された音声信号を送信可能な形式に変換するための音声回路５、携帯電話の機能を使用したり、種々のモードを設定操作したり、メール作成を行ったり、発呼、応答などの種々の端末操作を行うための操作部であるキー入力部６、上記操作のために必要な情報を表示するための表示部７、及び端末のシステムを制御し、種々のデータを処理する制御部８で構成されている。
【００５６】
さらに、テレビ放送を受信するために、ＴＶ放送信号を受信するためのＴＶアンテナ１０、ＴＶアンテナ１０を介して受信したＴＶ信号から、所望の放送局を選択（チューニング）し、受信した放送信号を復調処理するための放送受信部１１を有している。
【００５７】
受信したＴＶ放送を視聴するために、表示部７により画像を表示し、スピーカ３により音声を出力する。
【００５８】
また、携帯機器は、位置確認部１２を介して得られる位置情報を記憶する位置情報登録部１３と、図９（ａ）に示したようなキー入力に対応する放送局名を対応付けた対応表を記憶する放送局登録部１４と、図９（ｂ）に示したような各放送局の受信可能な位置とその位置での周波数を対応付けた対応表を記憶する周波数登録部１５からなる記憶部９を有している。
【００５９】
即ち、ユーザは、キー入力部７を操作することで、選局チャネルを入力し、入力された選局チャネルは、放送局登録部１４に記憶された対応表によって、実際の放送局が認識され、位置情報登録部１３に記憶されている位置情報及び周波数登録部１５に基づいて、現在の位置での上記の如く認識された放送局の周波数を認識する。
【００６０】
この周波数に従って視聴するチャネルがチューニングされる。
【００６１】
また、位置情報登録部１３には、位置確認部１２を通じて現在位置情報が記録される。
【００６２】
位置確認部１２は、通信中の携帯電話基地局からその位置情報が送信されてくるのを取得することにより、現在位置の通信エリアを認識獲得することができる。
【００６３】
或いは、ＧＰＳ受信システムを内蔵し、ＧＰＳ衛星からの信号を処理することで現在位置情報を獲得することもできる。
【００６４】
また、通信アンテナ１と、ＴＶアンテナ１０を共通にして１本のアンテナで構成しても構わない。
【００６５】
次に、キー配置の第１の例を図２に示す。
【００６６】
この図２に示すように、キー入力部は、十字キー（方向キー）２１、決定キー２２、Ｆキー２３、通話キー２４、ＴＶキー２５、電源キー２６及びテンキー２７を含んでいる。
【００６７】
十字キー２１は、種々の入力操作を行う際に、カーソルを上下左右に移動させるため等に使用され、携帯電話ではよく知られているキーである。
【００６８】
十字キー２１によって選択された項目を決定するために、決定キー２２が使用される。
【００６９】
また、Ｆキー２３は各種の機能選択や、各種モードの設定に関する操作画面を読み出すために使用される。
【００７０】
通話キー２４は、発呼の際や、着呼に応答する際に使用される。
【００７１】
また、ＴＶキー２５を押下するとＴＶ放送の視聴処理が実行される（テレビ放送受信モードとなる）。
【００７２】
電源キー２６は、電源のオン／オフを行うために使用される。
【００７３】
テンキー２７は電話機能を使用する場合の電話番号入力や、メール作成の時に文字入力を行うために使用されており、このような情報入力技術自体は携帯電話分野において周知である。
【００７４】
この発明では、このテンキー２７を、ＴＶ視聴時のチャネルキーとして使用し、従来のＴＶリモコンの操作と違和感なく使用するために、１〜９までのキーをそのまま１〜９までの選択チャネルに割り当てており、０キーには、１０チャネルを、＊には１１チャネルを、＃には１２チャネルを配置している。
【００７５】
すなわち、前記制御部８は、テレビ放送受信モードでは、テンキー２７からの信号をテレビ放送受信のための操作信号（選局指令信号）として処理する。
【００７６】
或いは、一般的なテレビリモコンのポジションキー配置と同じにするため、図３のように、１〜９までのキーをそのまま１〜９までの選択チャネルに割り当て、＊キーには１０チャネルを、０には１１チャネルを、＃には１２チャネルを配置しても構わない。
【００７７】
即ち、０及び＃及び＊のキーに、１０〜１２チャネルを配置する。
【００７８】
そして、視聴中の番組を録画キー２８を押下することで録画が行えるように構成されている。
【００７９】
次に、予約録画の方法を図４のフローチャートに基づいて説明していく。
【００８０】
Ｆキー２３の押下を検出すると、メニュー画面を表示する（ステップＳ１０１）。
【００８１】
メニュー画面の一例を図５に示す。
【００８２】
ユーザは十字キー２１を操作し、カーソルを予約入力に合わせて決定キーを押下する。
【００８３】
この操作を制御部８が検出し、携帯機器は予約録画モードに入る。
【００８４】
この録画予約モードに入ると、制御部８は、図６に示すように、予約画面を表示部７に表示させる（ステップＳ１０２）。
【００８５】
ユーザは、十字キー２１の上下矢印キーを操作し、図６（ａ）に示す如く、日付の項目を選択する。
【００８６】
ユーザが左右矢印キーを押すと、当日の日付から順に表示される。
【００８７】
例えば、右矢印キーを押下すれば、当日から１ヶ月間の日付が順次表示された後、毎日、毎月曜、毎火曜、毎水曜、毎木曜、毎金曜、毎土曜、毎日曜、月−金、月―土と表示され、再び当日が表示される。
【００８８】
すなわち、制御部８は、日付の項目が選択されたことを検出すると、その後は十字キー２１の操作信号に基づいてユーザに曜日を選択させるための上記曜日の表示処理を行う。
【００８９】
ユーザは、選択したい日付が表示されている時に、決定キー２２を押下する（ステップ１０３）。
【００９０】
制御部８は、決定キーが押下されたときの曜日の情報を仮に登録する（曜日の表示状態を維持する）。
【００９１】
なお、左矢印キーを操作すると、上記と逆の順序で日付表示がなされる。
【００９２】
上記のごとく曜日に対して決定キーが押下されると、制御部８は、図６（ｂ）に示すように、カーソルを開始時刻の項目に移動させる。
【００９３】
ユーザは十字キー２１の左右矢印キーを操作して時刻を変化させる。
【００９４】
具体的には、右矢印キーは昇順に、左矢印キーは降順に時間が変わっていくので、上記日付の場合と同様に、所望の時間が表示されたときに、決定キー２２を押下することで決定する（ステップＳ１０３）。
【００９５】
すなわち、制御部８は、カーソルが開始時刻の項目に位置しているときには、十字キー２１の操作情報に基づいて、表示時刻を変化させる処理を行い、決定キー２２の押下を検出すると、表示時刻を仮に登録する（開始時刻の表示状態を維持する）。
【００９６】
上記のごとく開始時刻に対して決定キー２２が押下されると、制御部８は、図６（ｃ）に示すように、カーソルを終了時刻の項目に移動させる。
【００９７】
ユーザは、十字キー２１の左右矢印キーを操作して時刻を決定する。
【００９８】
具体的には、右矢印キーは昇順に、左矢印キーは降順に時間が変わっていくので、上記開始時刻の場合と同様に、所望の時間が表示されると決定キー２２を押下することで決定する（ステップＳ１０５）。
【００９９】
すなわち、制御部８は、カーソルが終了時刻の項目に位置しているときには、十字キー２１の操作情報に基づいて、表示時刻を変化させる処理を行い、決定キー２２の押下を検出すると、表示時刻を仮に登録する（終了時刻の表示状態を維持する）。
【０１００】
上記のごとく終了時刻に対して決定キー２２が押下されると、制御部８は、図６（ｄ）に示すように、カーソルをチャンネルの項目に移動させる。
【０１０１】
ユーザは、所望の番組のチャネルがわかっている場合は（ステップＳ１０６でＮＯ）、テンキー２７を押下してチャネルを選択し、決定キー２２を押下してチャネルを決定する（ステップＳ１１３）。
【０１０２】
一方、所望の番組のチャネルがわからない場合は（ステップＳ１０６でＹＥＳ）、ユーザはテンキー２７を使って文字入力し、決定キー２２を押すことで、所望の番組名を特定する（ステップＳ１０７）。
【０１０３】
すなわち、制御部８はテンキー２７からの信号をテレビ放送受信用の番組名特定情報として処理する。
【０１０４】
この実施形態では、制御部８はＥＰＧ（電子番組ガイド）サーチを行って上記特定された番組名に一致する番組が属しているチャネルを検索する（ステップＳ１０８）。
【０１０５】
番組のチャネルが見つからない場合は、再度番組サーチを行うか（ステップＳ１０６でＹＥＳ，ステップＳ１０７，ステップＳ１０８）、或いは、ユーザがチャネルを見つけてきてチャネル入力する（ステップＳ１１３）。
【０１０６】
所望の番組のチャネルが見つかった場合は（ステップＳ１０９でＹＥＳ）、このチャネルの番号が図６（ｄ）の如く表示され、ユーザが決定キー２２を押下することでチャネルが決定される（ステップＳ１１１）。
【０１０７】
上記の如く、決定された予約内容を基に、予約録画をセットする（ステップ１１２）。
【０１０８】
すなわち、制御部８は、録画予約決定された番組のチャンネル及び受信予約日時を特定する情報を予約メモリに記録する。
【０１０９】
予約録画のセット方法は、種々の方法が考えられる。
【０１１０】
例えば、電源キー２６を押下して、電源オフにすることで予約録画をセットする。
【０１１１】
すなわち、制御部８は、電源キーのオフを判定したときに、録画予約対象となる番組のチャンネル及び受信予約日時を録画予約情報メモリにセットする。
【０１１２】
この方法であれば、予約録画設定中に電話が着呼しないため、録画が妨害されることはない。
【０１１３】
また、予約録画の他のセット方法としては、ＴＶキー２５と録画キー２８を同時に押下、或いは、録画キー２８を長押しするなど種々の方法が考えられる。
【０１１４】
また、図５に示した予約録画の選択項目のように、Ｆキー２３を操作して、メニューから予約録画設定できるようにしても構わない。
【０１１５】
電源キー２６が押下されて電源オフになっても、予約録画設定の状態となる場合には、例えば制御部８への通電は維持される。
【０１１６】
制御部８は、現在日時を判定するカレンダ機能を備え、受信予約日時の到来を判定したときに予約番組を受信するためのチューニング処理を行い、録画のためのメモリへの通電を実行し、受信番組の映像及び音声をＡ／Ｄ変換し、前記メモリに記録する。
【０１１７】
（実施形態２）  地上波デジタル放送のデータ放送において、文字入力などを伴う場合は、携帯電話の文字入力方法を利用して行う。
【０１１８】
具体的には、携帯電話は従来よりメール作成などの文字入力機能を有しており、その携帯電話の文字入力機能を、デジタル放送のデータ放送操作に適用するものである。
【０１１９】
例えば、携帯電話の文字入力機能は、５０音テーブルの各行に数値キーを割り当て（１キーに”あ”行、２キーに”か”行等を割り当てる）、当該数値キーの繰り返し操作にて段が選択される方式である。
【０１２０】
例えば、“９”キーの初回押下により「ら行」が特定され、その後“９”キーが押下される度に“ら、り、る、れ、ろ、ら、…”がサイクリックに選択されていくことになる。
【０１２１】
そして、例えば、“９”キーが３回押下されたことにより“り”が入力された状態で、“８”キーが押下されると、“りや、りゆ、りよ、りゃ、りゅ、りょ”が特定される。
上波デジタル放送においては、地域によって放送局の周波数チャネル割り当てが異なっている。
【０１２２】
従って、携帯機器が移動されることにより、ある地点で視聴していた番組が別の地点では異なるチャネルで放送されている事態が生じる。
【０１２３】
そこで、本発明では、見たい放送局（チャンネル）及び番組を文字入力し、その文字入力に応じてチャネルサーチを行って自動選局を行うようにしている。
【０１２４】
これは、図４の上記予約録画時におけるステップＳ１０６からステップＳ１１１までの処理と同様であり、通常のアナログＴＶ視聴においても同様の操作によって所望の番組をサーチして視聴することができる。
【０１２５】
上記のように、地上波放送においては、地域によって放送局の周波数チャネル割り当てが異なっている。
【０１２６】
そのため、その時々の位置に応じて、チャネル設定を変更する必要が生じるため、定期的に、例えば１分間隔などで、チャネルサーチを行いチャネル設定を自動変更するようにしても構わない。
【０１２７】
或いは、特願２００２−３０２０６２や特願２００２−３２５８３１に記載のように、位置情報とチャネル設定の対応表を利用して設定しても構わない。
【０１２８】
具体的には、カーナビゲーションシステムを利用し、走行中の放送波受信状態と位置情報との対応データをメモリに蓄積する方法、或いは、各車両が前記対応データを無線通信でサーバに送信し、他の車両で得られた対応データを前記サーバから受け取る方法などである。
【０１２９】
次に、図１０に基づいて地上波ディジタル放送を受信する携帯型の放送受信装置の構成について説明していく。
【０１３０】
携帯型のディジタル放送受信装置２００は、地上波ディジタルチューナ２３０によって地上ディジタル放送を受信する。
【０１３１】
また、スロット２０１に差し込まれたメモリカード２４１から符号化映像・音声データを読み出し、映像を液晶表示パネル２０２上に映し出すとともに、音声をイヤホン２０３から出力する。
【０１３２】
メモリカード２４１に格納されているＭＰＥＧ４ビットストリームデータは、ＰＣＭＣＩＡインターフェイス２２０、及びシステムバス２１３を経てＭＰＥＧ４デコーダ２０４に供給される。
【０１３３】
また、地上ディジタル放送を受信するチューナ２３０は、この地上ディジタル放送で放送される例えばＭＰＥＧ４のビットストリームデータを取り出し、ＭＰＥＧ４ビデオデコーダ２０４やオーディオデコーダ（ＭＰＥＧ２−ＡＡＣ）２０６に与えたり、メモリカード２４１に記録すべくシステムバス２１３に供給したりする。
【０１３４】
ＭＰＥＧ４デコーダ２０４は、前記ビットストリームデータを復号して量子化係数や動きベクトルを求め、逆ＤＣＴ変換や動きベクトルに基づく動き補償制御などを行うことによって得た映像データをグラフィックスコントローラ２０５に供給する。
【０１３５】
グラフィックスコントローラ２０５は映像データ（例えば、Ｒ，Ｇ，Ｂデータ）に対して色調整等の処理を施す。
【０１３６】
また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２にオンスクリーン表示する処理も行う。
【０１３７】
オーディオデコーダ２０６は、ビットストリーム中の音声符号データを復号して音声データを生成する。
【０１３８】
ＳＤＲＡＭ２１０は、ＭＰＥＧ４デコーダ２０４の上記処理において利用される。
【０１３９】
ＬＣＤコントローラ２０７は、グラフィックスコントローラ２０５から供給された映像データに基づいて液晶表示パネル２０２を駆動する。
【０１４０】
また、Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【０１４１】
本体キー２１４は図２や図３に示したキー構成（十字キー２１，決定キー２２，Ｆキー２３，通話キー２４，ＴＶキー２５，電源キー２６，テンキー２７，録画キー２８等）と同様の構成を有する。
【０１４２】
この本体キー２１４に対する操作情報は、インターフェイス２１５、及びシステムバス２１３を介してＣＰＵ２０９に与えられる。
【０１４３】
ＣＰＵ２０９は上記操作情報に基づいて必要な処理を実行する。
【０１４４】
また、無線ネットワークを可能にするために、通信ブロック２１６及びインターフェイス２１７が設けられている。
【０１４５】
更に、ＦｌａｓｈＲＯＭ２１８やＳＤＲＡＭ２１９も備える。
【０１４６】
電池２２１は二次電池であり、図示しない充電器から電力の供給を得てこれを蓄えるようになっている。
【０１４７】
携帯電話部２３１は、通常の電話やメールのために用いることとしている。
【０１４８】
携帯電話部２３１にはスピーカ２３２及びマイク２３３が接続されている。
【０１４９】
ＣＰＵ２０９は、無線ネットワークのための処理、スロット２０１にＰＨＳデータカード２４２が装着された場合のデータ送受信、受信データに基づく各機能部の制御、ＦｌａｓｈＲＯＭ２１８やＳＤＲＡＭ２１９のリード／ライト制御なども行うようになっている。
【０１５０】
液晶表示パネル２０２上には、例えば、メニュー画面として、「メインメニュー」、「ＴＶを視聴する」、「再生する」等の項目が表示される。
【０１５１】
「ＴＶを視聴する」が選択されると、ユーザの入力で指定されたチャンネルの番組を受信すべくチューナ２３０を制御し、取得したその番組のビットストリームデータに基づいて番組を表示する。
【０１５２】
項目の選択は、前述したごとく、十字キー２１の操作等により行うことができる。
【０１５３】
また、「再生する」が選択されると、録画済みの番組一覧を表示する。
【０１５４】
番組一覧は番組名、チャンネル番号、記録日等から成る。
【０１５５】
ユーザが十字キー２１を操作して所望の番組部分にカーソルを載せて決定キー２２を押下すると、再生処理が実行される。
【０１５６】
上記ＣＰＵ２０９による処理を更に説明していく。
【０１５７】
まず、データ放送におけるテキスト入力の方法について説明する。
【０１５８】
データ放送においては、映像データとテキストデータを受信することができる。
【０１５９】
この場合、図１１（ａ）に示すように、ＬＣＤパネル２０２の上半分領域を利用して映像表示を行い、下半分領域を利用してテキスト画面を表示することができる。
【０１６０】
図１１（ａ）では、テキスト画面として、ユーザ登録画面を示している。
【０１６１】
ユーザは、本体キー２１４を用いてテキスト入力を行うことになる。
【０１６２】
ここで、従来のデータ放送における登録画面では、据置型の大画面テレビジョンを念頭にしており、５０音の文字盤を画面表示させ、十字キーでカーソルを所望の文字上に位置させ、決定キーで選択しながら、１文字ずつ入力を行うというものであった（例えば、ＮＨＫ  ＢＳ−１のデータ放送の登録画面においてはそのように行われる）。
【０１６３】
これに対し、本願発明の携帯機器であれば、本体キー２１４を用いてテキスト入力を行うことができ（携帯電話の文字入力機能を用いることができ）、複数文字を容易に入力することができ、上記従来の方法に比べて操作性が良くなる。
【０１６４】
具体的な入力方法としては、図１１（ｂ）に示すように、カーソルが表示されている項に対して文字入力を行うことになる。
【０１６５】
カーソルは十字キーの操作により移動し、入力を行う枠が変更される。
【０１６６】
テキスト入力のフローチャートを図１２に示す。
【０１６７】
データ放送の表示が行われると（ステップＳ２０１）、文字入力のあるコンテンツであるかどうかが判断される（ステップＳ２０２）。
【０１６８】
データ放送では例えばＢＭＬファイルが送信されてくるので、ＣＰＵ２０９（ブラウザ）は、ＢＭＬファイルに文字入力のための記述が存在するかによって上記判断を行うことができる。
【０１６９】
文字入力のないコンテンツである場合には処理を終了する。
【０１７０】
一方、文字入力のあるコンテンツであると判断したときには、ＣＰＵ２０９は本体キー２１４の操作を検出し（ステップＳ２０３）、文字入力処理を実行する（ステップＳ２０４）。
【０１７１】
ＣＰＵ２０９は、カーソルが画面上の「取消」ボタンに合わされた状態で決定キー２２が押下されたことを検出すると（ステップＳ２０５でＹＥＳ）、入力された文字のデータ消去を行い（ステップＳ２０６）、ステップＳ２０４に戻る。
【０１７２】
一方、ＣＰＵ２０９は、カーソルが画面上の「登録」ボタンに合わされた状態で決定キー２２が押下されたことを検出すると（ステップＳ２０７でＹＥＳ）、文字入力処理を終了し（ステップＳ２０９）、それ以外のときには（ステップＳ２０５、Ｓ２０７でＮＯ）、ステップＳ２０４に戻り処理を続ける。
【０１７３】
また、十字キー２１、決定キー２２、テンキー２７以外の入力があった場合も（ステップＳ２０８でＹＥＳ）文字入力を終了する（ステップＳ２０９）。
【０１７４】
ＴＶの選局方法としては、以下の３つの方法が考えられる。
【０１７５】
第１の方法は、テンキー２７の１つ１つに予めサービス（チャンネル）を割り当て、ボタンを押すことにより選局を行う方法（ワンタッチ選局）、第２の方法は、チャンネルのアップダウンキーを用いて選局を行う方法（アップダウン選局）、第３の方法は、テンキー２７を利用して２桁又は３桁の数字を直接指定することにより選局を行う方法（ダイレクト選局）である。
【０１７６】
この実施形態の携帯機器は、上記３つの選局方法に対応するものとする。
【０１７７】
どの選局方法（選局モード）を選択するかについては、例えば、予めメニュー画面上で登録しておけばよい。
【０１７８】
上記第１の方法は、実施形態１において記述した通りである。
【０１７９】
上記第２の方法は、リモコンのチャンネル番号アップダウンキーにあたるキーを携帯電話のキー（例えば十字キーの上下キーなど）に割り当てることする。
【０１８０】
そして、アップキーが押下されたら、現在選局しているチャンネルの次のチャンネルを選局する。
【０１８１】
逆にダウンキーが押下されたら、現在選局しているチャンネルの前のチャンネルを選局する。
【０１８２】
アップダウンキーによる選局遷移の順序はテンキーと放送局の対応テーブル（図９（ａ）参照）に従って行う。
【０１８３】
上記の次のチャンネルは、テーブルに記述されている次にテンキーの数値が大きくなるチャンネルを意味する。
【０１８４】
同じく前のチャンネルは、テーブルに記述されている次にテンキーの数値が小さくなっているチャンネルを意味する。
【０１８５】
アップダウン選局のフローチャートを図１３に示す。
【０１８６】
アップ選局がある（アップキーが押下された）場合には（ステップＳ３０１でＹＥＳ）、現在選局しているチャンネル番号を参照する（ステップＳ３０２）。
【０１８７】
また、テンキー・放送サービス対応テーブルを参照し（ステップＳ３０３）、現在のチャンネルがテーブルの末尾に記載されているかどうかを判断する（ステップＳ３０４）。
【０１８８】
テーブルの末尾に記載されていない場合には、テーブル中の１つ後のチャンネル番号を取得し（ステップＳ３０５）、ステップＳ３１３に進む。
【０１８９】
一方、テーブルの末尾に記載されていた場合には、テーブル中の頭のチャンネル番号を取得し（ステップＳ３０６）、ステップＳ３１３に進む。
【０１９０】
ダウン選局がある（ダウンキーが押下された）場合には（ステップＳ３０７でＹＥＳ）、現在選局しているチャンネル番号を参照する（ステップＳ３０８）。
【０１９１】
また、テンキー・放送サービス対応テーブルを参照し（ステップＳ３０９）、現在のチャンネルがテーブルの頭に記載されているかどうかを判断する（ステップＳ３１０）。
【０１９２】
テーブルの頭に記載されていない場合には、テーブル中の１つ前のチャンネル番号を取得し（ステップＳ３１１）、ステップＳ３１３に進む。
【０１９３】
一方、テーブルの頭に記載されていた場合には、テーブル中の末尾のチャンネル番号を取得し（ステップＳ３１２）、取得したチャンネル番号に基づき選局を行う（ステップＳ３１３）。
【０１９４】
前記第３の選局方法においては、例えば、ＴＶキーの押下などで２又は３桁のチャンネル番号を入力するためのウィンドウ（図１４（ａ）参照）をＬＣＤパネル２０２の右下位置などに表示する。
【０１９５】
そして、テンキーを用いて任意の２又は３桁の数値を入力することにより、入力された番号のチャンネルの選局を行う。
【０１９６】
ダイレクト選局のフローチャートを図１４（ｂ）に示す。
【０１９７】
なお、ここでは３桁の数値の入力が必要であるとする。
【０１９８】
ＣＰＵ２０９は、ダイレクト選局モードが予め設定されている状態でＴＶキー２５の押下を検出したときには（ステップＳ４０１でＹＥＳ）、ウィンドウを画面に表示する（ステップＳ４０２）。
【０１９９】
ＣＰＵ２０９は、ユーザにより操作されたテンキーから信号を受けて数値入力処理を行い（ステップＳ４０３）、数値入力が終了したかどうかを判断する（ステップＳ４０４）。
【０２００】
終了判断は、３桁の数値が入力された場合に行う。
【０２０１】
数値入力が終了したと判断した場合には、入力された数値に基づき選局を実行する（ステップＳ４０５）。
【０２０２】
終了していないと判断されたときには（ステップＳ４０４でＮＯ）、ダイレクト選局のタイムアウトを判断する（ステップＳ４０６）。
【０２０３】
タイムアウトであると判断されたときには処理を終了し、タイムアウトでないと判断されると（ステップＳ４０６でＮＯ）、ダイレクト選局停止入力があるかどうかが判断される（ステップＳ４０７）。
【０２０４】
ダイレクト選局停止入力があったときには処理を終了し、ダイレクト選局停止入力がないと判断されると（ステップＳ４０７でＮＯ）、ステップＳ４０４に戻ることになる。
【０２０５】
ダイレクト選局停止入力は、例えば、テンキー以外のキーが操作されたときに生じるものとする。
【符号の説明】
【０２０６】
１    通信アンテナ
２    無線通信制御部
３    スピーカ
４    マイク
５    音声回路
６    キー入力部
７    表示部
８    制御部
９    記憶部
１０  ＴＶアンテナ
１１  放送受信部
１２  位置確認部
１３  位置情報登録部
１４  放送局登録部
１５  周波数登録部
２１  十字キー
２２  決定キー
２３  Ｆキー
２４  通話キー
２５  ＴＶキー
２６  電源キー
２７  テンキー
２８  録画キー
７１  デュプレクサ
７２  送信部
７３  受信部
７４  記憶部
８１  通信回路
８２  ワンタッチキー入力部
８３  放送情報出力部
２０９  ＣＰＵ
２３０  地上波ディジタルチューナ
２３１  携帯電話機能部
２４１  メモリカード 
【図１】
2010004572.tif 000003
【図２】
2010004572.tif 000004
【図３】
2010004572.tif 000005
【図４】
2010004572.tif 000006
【図５】
2010004572.tif 000007
【図６】
2010004572.tif 000008
【図７】
2010004572.tif 000009
【図８】
2010004572.tif 000010
【図９】
2010004572.tif 000011
【図１０】
2010004572.tif 000012
【図１１】
2010004572.tif 000013
【図１２】
2010004572.tif 000014
【図１３】
2010004572.tif 000015
【図１４】
2010004572.tif 000016